(57)【要約】【課題】単票Ｐ紙とロール紙Ｒの双方に対して記録を行うことができる記録装置において、ロール紙Ｒをセットするときに、ユーザーによるロール紙Ｒのセット感の信頼性を高めるとともに、ロール紙Ｒを確実にセットすることができる記録装置を提供する。【解決手段】媒体をセットする載置面１５を備え、媒体の載置面１５が下げられた状態の第１姿勢と、載置面１５が押し上げられた状態の第２姿勢と、の間で揺動可能に設けられたホッパー１３と、ホッパー１３に、その上流側から媒体としてのロール紙Ｒを送る第１経路Ｗ１と、ホッパー１３に、その上流側から媒体としての単票紙Ｐを送る第２経路Ｗ２と、第１経路Ｗ１において、媒体を検知する第１センサー２１と、を備え、第１センサー２１による媒体の検知に基いて、ホッパー１３が第１姿勢から第２姿勢をとる方向に揺動する。【選択図】図４
2015199577.tif 000002
【特許請求の範囲】
【請求項１】
媒体をセットする載置面を備え、前記媒体の載置面が下げられた状態の第１姿勢と、前記載置面が押し上げられた状態の第２姿勢と、の間で揺動可能に設けられたホッパーと、
前記ホッパーに、その上流側から前記媒体としてのロール紙を送る第１経路と、
前記ホッパーに、その上流側から前記媒体としての単票紙を送る第２経路と、
前記第１経路において、前記媒体を検知する第１センサーと、
を備え、
前記第１センサーによる前記媒体の検知に基いて、前記ホッパーが前記第１姿勢から前記第２姿勢をとる方向に揺動する、
ことを特徴とする、記録装置。
【請求項２】
媒体をセットする載置面を備え、前記媒体の載置面が下げられた状態の第１姿勢と、前記載置面が押し上げられた状態の第２姿勢と、の間で揺動可能に設けられたホッパーと、
前記ホッパーに、その上流側から前記媒体としてのロール紙を送る第１経路と、
前記ホッパーに、その上流側から前記媒体としての単票紙を送る第２経路と、
前記第１経路において、前記媒体を検知する第１センサーと、
前記ホッパーの前記載置面に前記媒体が載置されたことを検知する第２センサーと、
を備え、
前記第１センサーと前記第２センサーによる前記媒体の検知に基いて、前記ホッパーが前記第１姿勢から前記第２姿勢をとる方向に揺動する、
ことを特徴とする、記録装置。
【請求項３】
請求項１または２に記載された記録装置において、
前記媒体を給送する給送ローラーを備え、
前記ホッパーは、
前記第２姿勢において前記給送ローラーと接触するように構成されており、
前記センサーによる前記媒体の検知に基いて該ホッパーが揺動する際に、前記第２姿勢をとる、
ことを特徴とする、記録装置。
【請求項４】
請求項１から３のいずれか一項に記載された記録装置において、
前記ホッパーよりも媒体搬送方向上流において、前記第１経路と前記第２経路とが合流する、
ことを特徴とする、記録装置。
【請求項５】
請求項１から４のいずれか一項に記載された記録装置において、
該記録装置本体の上面部を開閉し、開状態において前記ホッパーにセットされる前記単票紙を支持するとともに、前記第２経路の少なくとも一部を成す第１の開閉部を備え、
前記第１経路は、前記第１の開閉部の支持面の背面側から、該第１の開閉部の下流側端部と前記本体との間を通り、前記支持面側において前記第２経路と合流するように構成されている、
ことを特徴とする、記録装置。
【請求項６】
請求項１から５のいずれか一項に記載された記録装置において、
前記第１センサーは、
媒体に対して光を照射し、媒体からの反射光を受光する受発光部を備える光センサーであり、
前記受発光部の光軸は、鉛直方向に対して媒体搬送方向下流側に傾いている、
ことを特徴とする、記録装置。
【請求項７】
請求項６に記載された記録装置において、
前記第１センサーの受発光部から離れた位置において、該第１センサーの受発光部の上方を覆う庇部材を備えている、
ことを特徴とする、記録装置。
【発明の詳細な説明】
【技術分野】
【０００１】
本発明は、記録装置に関するものである。
【背景技術】
【０００２】
近年、インクジェット記録装置等の記録装置は、屋内において据え置きで使用する記録装置の他、屋外へ持ち運び可能な小型の記録装置が普及しつつある。  
通常、記録装置においては、媒体としての用紙を該記録装置に複数枚セットするとともに、当該用紙を一枚ずつ記録装置に給送して記録を行う。一方、一枚ずつの用紙である単票紙への記録に加え、長尺の用紙がロール芯の周りにロール状に巻かれた、所謂、ロール紙に対して記録を行うことができる記録装置がある。そして、前記小型の記録装置においても、前記ロール紙を利用可能な記録装置がある。
【０００３】
単票紙やロール紙等の複数種の形態の媒体に対して記録を行う場合、各形態の媒体毎に搬送経路を設けると、装置の大型化に繋がる。このため、特許文献１には、手差し供給経路とロール媒体経路の二つの用紙搬送経路を備え、前記ロール媒体経路が、前記手差し供給経路を利用するように構成された記録装置が開示されている。
【先行技術文献】
【特許文献】
【０００４】
【特許文献１】特開２０１３−１１２４７３号公報
【発明の概要】
【発明が解決しようとする課題】
【０００５】
特許文献１において、前記手差し供給経路は、媒体としての用紙を一枚ずつ手差しトレイに差して、前記手差し供給経路に送る構成であるが、例えば、複数枚の単票紙を重ねてセットし、該単票紙を一枚ずつ記録装置に給送して記録を行う媒体供給経路を、前記ロール紙の搬送経路として利用する場合がある。  
通常、複数枚の単票紙は、給送ローラーに対して上がった状態と下がった状態とに揺動可能に構成されたホッパーの載置面にセットされる。そして、該ホッパーが上昇してその最上位の単票紙を給送ローラーに当接させるとともに、該給送ローラーが回転することによって、前記最上位の単票紙が一枚ずつ給送されるように構成されている。  
また、前記ホッパーに単票紙が載置されていない場合、該ホッパーは、所定の枚数の単票紙がセット可能な位置まで下がった状態になっている。  
前記単票紙を前記ホッパーにセットする場合、前記下がった状態のホッパーの奥に単票紙の端部が突き当たったことを以って、該単票紙の先端が正しい位置まで挿入されたとユーザーによって判断される。
【０００６】
ここで、このようなホッパーを用いた構成の単票紙の搬送経路を、前記ロール紙の搬送経路として利用する場合、前述のように、所定の枚数の単票紙がセット可能な位置まで下がった状態の前記ホッパーに対して前記ロール紙をセットすることになる。  
このとき、下がった状態の前記ホッパーと前記給送ローラーとの間には空間があるため、該空間内において前記ロール紙がロールの癖に沿って丸まってしまう場合がある。このような状態になると、該ロール紙の端部が突き当たった感覚（以下、この感覚をセット感という場合がある）がユーザーに感じられにくい。更に、前記ロール紙のセット感が分かりづらいと、ユーザーが該ロール紙を必要以上に押し込んでしまう虞がある。
【０００７】
そこで、本発明の目的は、単票紙とロール紙の双方に対して記録を行うことができる記録装置において、ロール紙をセットするときに、ユーザーによる該ロール紙のセット感の信頼性を高めるとともに、該ロール紙を確実にセットすることができる記録装置を提供することにある。
【課題を解決するための手段】
【０００８】
上記課題を解決するため、本発明の第１の態様に係る記録装置は、媒体をセットする載置面を備え、前記媒体の載置面が下げられた状態の第１姿勢と、前記載置面が押し上げられた状態の第２姿勢と、の間で揺動可能に設けられたホッパーと、前記ホッパーに、その上流側から前記媒体としてのロール紙を送る第１経路と、前記ホッパーに、その上流側から前記媒体としての単票紙を送る第２経路と、前記第１経路において、前記媒体を検知する第１センサーと、を備え、前記第１センサーによる前記媒体の検知に基いて、前記ホッパーが前記第１姿勢から前記第２姿勢をとる方向に揺動する、ことを特徴とするものである。
【０００９】
本明細書において、「第１経路」はロール紙を送るロール紙用の媒体搬送経路であり、「第２経路」は単票紙を送る単票紙用の媒体搬送経路を表すものとする。  
本態様によれば、前記第１経路に設けられた前記第１センサーによる前記媒体の検知に基いて、前記ホッパーが前記第１姿勢から前記第２姿勢をとる方向に揺動するので、前記ロール紙を前記ホッパー上にセットするときに、当該記録装置内において該ホッパーと対向する部材との間を狭めることができる。前記ホッパーと対向する部材としては、例えば、給紙ローラーが挙げられる。
【００１０】
このことによって、前記ロール紙の先端がより狭い空間に挿入されることとなり、該ロール紙がその巻癖によって丸まってしまう虞が低減し、前記ロール紙の先端が前記ホッパーの奥まで突き当たった感覚、すなわち、該ロール紙のホッパーへのセット感が分かりやすくなる。  
以って、ユーザーによる前記ロール紙のセット感の信頼性が高められ、ユーザーが該ロール紙を必要以上に押し込んでしまう虞が低減するとともに、ロール紙を確実にセットすることができる。
【００１１】
本発明の第２の態様に係る記録装置は、媒体をセットする載置面を備え、前記媒体の載置面が下げられた状態の第１姿勢と、前記載置面が押し上げられた状態の第２姿勢と、の間で揺動可能に設けられたホッパーと、前記ホッパーに、その上流側から前記媒体としてのロール紙を送る第１経路と、前記ホッパーに、その上流側から前記媒体としての単票紙を送る第２経路と、前記第１経路において、前記媒体を検知する第１センサーと、前記ホッパーの前記載置面に前記媒体が載置されたことを検知する第２センサーと、を備え、前記第１センサーと前記第２センサーによる前記媒体の検知に基いて、前記ホッパーが前記第１姿勢から前記第２姿勢をとる方向に揺動する、ことを特徴とするものである。
【００１２】
本態様によれば、前記第１センサーと前記第２センサーによる前記媒体の検知に基いて、前記ホッパーが前記第１姿勢から前記第２姿勢をとる方向に揺動して、第１の態様と同様の効果を奏する。
【００１３】
また、前記ホッパーが前記第１姿勢から前記第２姿勢をとる方向に揺動するタイミングを、前記第１センサーでの媒体（ロール紙）の検知に続き、前記第２センサーが媒体を検知したときにすることができる。前記ロール紙は、その先端が巻癖によってカールしている場合があるので、狭い空間に対して挿入するのが難しい場合がある。  
前記第２センサーが媒体を検知したときにホッパーを第２姿勢側に押し上げるように揺動させることによって、前記ホッパー上に前記ロール紙が挿入され始めるときには、ホッパーが下がった第１姿勢をとっているのでその挿入がし易くなる。そして、前記ホッパーの載置面の所定の位置をロール紙が通過した後に、該ホッパーを第２姿勢側に押し上げることにより、該ロール紙がホッパーの奥に突き当たるときには、当該ホッパーと、該ホッパーと対向する部材との間を狭め、第１の態様と同様の効果を得ることができる。
【００１４】
また、前記第１経路において媒体を検知する第１センサーに加え、前記ホッパーに載置された媒体を検知する第２センサーを備えていることによって、以下の効果を奏する。  
例えば、ホッパー上に単票紙が載っている状態のまま、ユーザーがロール紙の使用を開始してしまう場合がある。ここで、前記第１センサーでロール紙を検知したときに、すでに第２センサーが媒体を検知している場合には、ホッパー上に単票紙が載っている状態であると判断することができる。加えて、アラーム音やユーザーインターフェース（以下、ＵＩと称する）等によってユーザーにホッパー上に単票紙があることを知らせる構成とすることができる。
【００１５】
本発明の第３の態様に係る記録装置は、第１の態様または第２の態様において、前記媒体を給送する給送ローラーを備え、前記ホッパーは、前記第２姿勢において前記給送ローラーと接触するように構成されており、前記センサーによる前記媒体の検知に基いて該ホッパーが揺動する際に、前記第２姿勢をとる、ことを特徴とするものである。
【００１６】
本態様によれば、前記センサーによる前記媒体の検知に基いて該ホッパーが揺動する際に、前記ホッパーが前記給送ローラーと接触する第２姿勢をとることにより、前記給送ローラーと前記ホッパーとが接触して形成される隙間にロール紙が突き当たるので、前記ロール紙のセット感が一層感じられ易くなる。  
以って、ユーザーによる前記ロール紙のセット感の信頼性がより向上する。
【００１７】
本発明の第４の態様に係る記録装置は、第１の態様から第３の態様のいずれか一つにおいて、前記ホッパーよりも媒体搬送方向上流において、前記第１経路と前記第２経路とが合流する、ことを特徴とするものである。
【００１８】
本明細書において、前記記録装置において被記録媒体が搬送されていく方向を「下流」といい、これと反対の方向を「上流」というものとする。  
本態様によれば、前記ホッパーよりも媒体搬送方向上流において、前記第１経路と前記第２経路とが合流するので、給紙されるロール紙が前記ホッパーに送られる前に当該ロール紙を確実に検知することができる。  
また、前記第１センサーに加え、前記ホッパーの前記載置面に前記媒体が載置されたことを検知する第２センサーを備えている場合には、該第２センサーを単票紙とロール紙とで兼用しつつ、ロール紙が前記ホッパーに送られる前に前記第１センサーによってロール紙を検知し、前記ホッパーにロール紙が送られるのか単票紙が送られるのかを確実に検知することができる。
【００１９】
本発明の第５の態様に係る記録装置は、第１の態様から第４の態様のいずれか一つにおいて、該記録装置本体の上面部を開閉し、開状態において前記ホッパーにセットされる前記単票紙を支持するとともに、前記第２経路の少なくとも一部を成す第１の開閉部を備え、前記第１経路は、前記第１の開閉部の支持面の背面側から、該第１の開閉部の下流側端部と前記本体との間を通り、前記支持面側において前記第２経路と合流するように構成されている、ことを特徴とするものである。
【００２０】
本態様によれば、このように設けられた第１経路に前記第１センサーを設けることにより、該第１センサーによってロール紙のみを確実に検知することができる構成とすることができる。このことによって、前記第１センサーによって単票紙を検知する虞がほとんどなく、以って、該単票紙のセット時に誤ってホッパーが上がる虞を低減することができる。
【００２１】
本発明の第６の態様に係る記録装置は、第１の態様から第５の態様のいずれか一つにおいて、前記第１センサーは、媒体に対して光を照射し、媒体からの反射光を受光する受発光部を備える光センサーであり、前記受発光部の光軸は、鉛直方向に対して媒体搬送方向下流側に傾いている、ことを特徴とするものである。
【００２２】
通常、ロール紙等の媒体は、記録装置の端部側に設けられた媒体供給口から挿入されて、該記録装置の内部に設けられる記録部に向けて搬送される。  
本態様によれば、前記第１センサーとしての光センサーの前記受発光部の光軸が、媒体搬送方向下流側に傾いているので、前記光センサーの前記受発光部の光軸を記録装置の内部側に向けて配置することができる。このことによって、記録装置の外部からの光の影響を受けにくくすることができる。
【００２３】
本発明の第７の態様に係る記録装置は、第６の態様において、前記第１センサーの受発光部から離れた位置において、該第１センサーの受発光部の上方を覆う庇部材を備えている、ことを特徴とするものである。
【００２４】
本態様によれば、前記庇部材によって、前記第１センサーの受発光部に記録装置の外部から光が入る虞を低減することができる。また、前記庇部材は前記第１センサーの受発光部から離れた位置に設けられており、該庇部材と前記第１センサーの受発光部との間を前記ロール紙が通るように構成することができるので、前記庇部材によって、前記ロール紙の巻癖によるカールを押えることが可能となる。
【図面の簡単な説明】
【００２５】
【図１】本発明の一実施例に係る記録装置を表す斜視図。
【図２】上面カバーが開いた状態の図１の記録装置を背面側から見た斜視図。
【図３】図１に示す記録装置の断面図であり、ホッパーが下げられた第１姿勢をとった状態を示す図。
【図４】図１に示す記録装置の要部拡大断面図であり、ホッパーが上げられた第２姿勢をとった状態を示す図。
【図５】上面カバーが開いた状態の図１の記録装置の要部を表す斜視図。
【図６】（Ａ）は、図５に示す記録装置に庇部材を取り付けた状態を示す斜視図、（Ｂ）は、（Ａ）に示す記録装置を背面側から見た斜視図。
【図７】従来の記録装置の断面図。
【発明を実施するための形態】
【００２６】
以下において、本発明の一実施形態に係る記録装置について、添付図面を参照して説明する。尚、本発明はこれらによって制約されるものではない。
【００２７】
［実施例１］
まず、本発明の一実施例に係る記録装置１の概略について説明する。本実施例の記録装置１の一例として、インクジェット式記録装置を例に挙げる。  
図１は、本発明の一実施例に係る記録装置１を表す斜視図である。図２は、上面カバーが開いた状態の図１の記録装置１を背面側から見た斜視図である。図３は、図１に示す記録装置の断面図であり、ホッパーが下げられた第１姿勢をとった状態を示す図である。図４は、図１に示す記録装置の要部拡大断面図であり、ホッパーが上げられた第２姿勢をとった状態を示す図である。図５は、上面カバーが開いた状態の図１の記録装置の要部を表す斜視図である。図６は、（Ａ）は、図５に示す記録装置に庇部材を取り付けた状態を示す斜視図、（Ｂ）は、（Ａ）に示す記録装置を背面側から見た斜視図である。図７は、従来の記録装置の断面図である。
【００２８】
記録装置１は図１に示すように、該記録装置１の本体２、本体２の上面部６（図２を参照）を覆う上面カバー３、および本体２の図１における前面（＋Ｙ方向側の側面）側に設けられる排紙カバー４によって、その外観が構成されている。  
なお、各図に示すＺ軸の−Ｚ方向は重力方向であり、重力方向側を下方（下部、下面等を含む）、その反対側を上方（上部、上面等を含む）という。
【００２９】
上面部６には、記録装置１において、媒体としての単票紙Ｐ（図３を参照）を挿入する媒体セット部７（図５を参照）が設けられている。本実施例において、上面カバー３は、媒体セット部７を含む上面部６を開閉する第１の開閉部である。また、上面カバー３は、開状態において媒体セット部７にセットされる単票紙Ｐを支持面１２で支持するように構成されている。
【００３０】
実施例１に係る記録装置１は、媒体としての単票紙Ｐに対して記録を行う他、ロール紙Ｒに対しても記録を行うように構成されており、記録装置１の本体２の背面側、すなわち、媒体セット部７の媒体搬送方向上流側（−Ｙ側）に設けられたロール紙ユニット５から、媒体セット部７にロール紙Ｒを送り、ロール紙Ｒへの記録を行うことができる。
【００３１】
ロール紙ユニット５内にはロール軸に巻かれたロール紙Ｒが納められている。ロール紙ユニット５から送り出されるロール紙Ｒの一端側は、上部カバー３の下流側端部側に設けられたロール紙挿入口１０に、上部カバー３の支持面１２の背面２７（図２を参照）側から挿入される。そして、ロール紙Ｒの一端側は、上部カバー３と本体２との間を通る形で支持面１２側に出されて、ホッパー１３にセットされるように構成されている。  
尚、ロール紙Ｒの搬送経路については、後に詳述する。
【００３２】
次に、図３を用いて記録装置１の内部構造の概略を説明する。尚、図３には単票紙Ｐの搬送経路が示してある。  
記録装置１において、媒体としての単票紙Ｐ、ロール紙Ｒは、図３の＋Ｙ方向へ搬送される構成である。尚、以下において、記録装置１において媒体が搬送されていく方向を「下流」といい、これと反対の方向を「上流」という場合がある。
【００３３】
本体２の内部には、媒体に液体を吐出して記録を行う記録ヘッド１７を備えたキャリッジ１６が、媒体の搬送方向（＋Ｙ方向）と交差する方向（Ｘ軸方向）に往復動するように設けられている。キャリッジ１６には、媒体に記録を行うための液体（例えばインク）を記録ヘッド１７に供給するための液体収納体２０が搭載されている。
【００３４】
媒体としての単票紙Ｐは媒体セット部７から挿入され、ホッパー１３の載置面１５に積載されてセットされる。ホッパー１３は、載置面１５が下げられた状態の第１姿勢（図３におけるホッパー１３の状態）と、載置面１５が押し上げられた状態の第２姿勢（図４におけるホッパー１３の状態）と、の間で揺動可能に設けられ、第２姿勢側へ付勢手段によって付勢されている。
【００３５】
また、ホッパー１３の載置面１５上に複数枚セットされた単票紙Ｐは、最上位の単票紙Ｐが給紙ローラー１４により単位数ずつピックアップされて搬送方向下流に向けて給送される。  
ホッパー１３の載置面１５上の単票紙Ｐの枚数が少なくなるにしたがって、ホッパー１３は押し上げられて前記第２姿勢側に揺動し、最上位の単票紙Ｐが常に給紙ローラー１４と接触するように構成されている。ホッパー１３が最も押し上げられた状態の第２姿勢において、ホッパー１３と給紙ローラー１４とが接触するように構成されている。図４において符号２３は、ホッパー１３と給紙ローラー１４との接触点である。
【００３６】
更に、搬送方向上流側から送られる単票紙Ｐは、搬送用ローラー対（符号なし）によって挟圧された状態で、記録ヘッド１７の下方（−Ｚ方向側）の記録位置に搬送される。  
記録ヘッド１７の下方には、記録ヘッド１７と対向して記録ヘッド１７の液体吐出面と媒体との間のギャップを規定するプラテン１８が設けられている。記録ヘッド１７とプラテン１８との間において、単票紙Ｐやロール紙等の媒体に記録ヘッド１７から液体（インク）を吐出することによって記録が実行される。  
記録後の媒体は，記録ヘッド１７の搬送方向下流に送られて媒体排出部１９から排出され、排紙カバー４上に載置されるように構成されている。
【００３７】
媒体セット部７には、媒体セット部７にセットされる媒体Ｐの幅方向（図のＸ軸方向）の両側端をガイドするエッジガイド部１１ａ、１１ｂが設けられている。本実施例において、エッジガイド部１１ａ（図５を参照）は、媒体Ｐのサイズに応じてユーザーが手で操作して、Ｘ軸方向にスライド移動可能に設けられている。  
また、他端側のエッジガイド部１１ｂ（図４を参照）は、例えばラックピニオン機構により、第１のエッジガイド部１１と同期してスライド移動するように設けることができる。
【００３８】
また、本体２の上面部６には、図５に示すように、メニューやエラー等の各種情報を表示する液晶ディスプレイ８、操作ボタン類を配置した操作パネル９が設けられている。  
また、開いた状態で支持面１２に単票紙Ｐを支持する上面カバー３は、その支持面１２がホッパー１３の載置面１５の傾斜に沿うように構成されている。
【００３９】
次に、図４を用い、ロール紙Ｒの搬送経路について説明しつつ、記録装置１の内部構造について更に説明する。尚、図４には、ロール紙Ｒの搬送経路と単票紙Ｐの搬送経路の両方が示してある  
前述のように、記録装置１の本体２の背面側（−Ｙ側）に設けられたロール紙ユニット５にはロール紙Ｒが納められており、ロール紙ユニット５から送り出されるロール紙Ｒは、上部カバー３の支持面１２の背面２７側からロール紙挿入口１０に挿入され、上部カバー３と本体２との間を通る形で支持面１２側に出されてホッパー１３の載置面１５に送られる。
【００４０】
本実施例において、ロール紙Ｒの搬送経路と単票紙Ｐの搬送経路は、ホッパー１３よりも媒体搬送方向上流の符号２５の合流位置において合流するように構成されている。合流位置２５より上流側のロール紙Ｒの搬送経路を第１経路Ｗ１、合流位置２５より上流側の単票紙Ｐの搬送経路を第２経路Ｗ２という。すなわち、「第１経路Ｗ１」はロール紙を送るロール紙Ｒ用の媒体搬送経路であり、「第２経路Ｗ２」は単票紙を送る単票紙Ｐ用の媒体搬送経路である。
【００４１】
記録装置１は、第１経路Ｗ１において媒体を検知する第１センサー２１を備えている。本実施例では、第１センサー２は、図５に示すように、上部カバー３に設けられたロール紙挿入口１０と対向する本体２側の位置に設けられており、上部カバー３と本体２との間をロール紙Ｒが通るときに第１センサー２１によって該ロール紙Ｒが検出されるように構成されている。
【００４２】
第１センサー２１としては、媒体に対して光を照射し、媒体からの反射光を受光する受発光部２２を備える光センサーを用いることができる。受発光部２２を備える光センサーは、媒体としてのロール紙Ｒの面に対して受発光部２２から光を照射するとともに、媒体の前記面からの反射光を受発光部２２で受光することにより、その媒体を検出することができる。
【００４３】
受発光部２２の光軸は、図４に示すように、鉛直方向に対して媒体搬送方向下流側に傾いていることが好ましい。このことによって、第１センサー２１の受発光部２２の光軸を記録装置１の内部側に向けて配置することができる。以って、記録装置１の外部からの光の影響を受けにくくすることができる。  
また、ホッパー１３に向けて送られるロール紙Ｒはやや下方に傾斜しているので、受発光部２２をロール紙Ｒの面に沿うように傾けて設けることができる。
【００４４】
更に、記録装置１は、ホッパー１３の載置面１５に媒体が載置されたことを検知する第２センサー２４を備えている。第２センサー２４は、ロール紙Ｒと単票紙Ｐの両方の媒体を検知する。第２センサー２４としては、第１センサー２１と同様の構成の光センサーを用いることができる。
【００４５】
また、ロール紙挿入口１０には、図４、図６（Ａ）および図６（Ｂ）に示すように、第１センサー２１の受発光部２２から離れた位置において、受発光部２２の上方を覆う庇部材２６が設けられている。  
庇部材２６によって、第１センサー２１の受発光部２２に記録装置１の外部から光が入る虞を低減することができる。また、庇部材２６は第１センサー２１の受発光部２２から離れた位置に設けられており、庇部材２６と第１センサー２１の受発光部２２との間をロール紙Ｒが通るように構成されているので、庇部材２６によって、ロール紙Ｒの巻癖によるカールを押えることが可能となる。
【００４６】
次に、第１センサーと第２センサーに基くホッパー１３の動きについて説明する。  
まず、従来の記録装置３０にロール紙Ｒをセットする場合について、図７を用いて説明する。尚、図７に示す記録装置３０はロール紙Ｒの搬送経路に第１センサーを備えていないが、ロール紙Ｒの搬送に係る基本的な構成は本発明と同様であるので、記録装置１と同一の符号を付して説明は省略する。
【００４７】
記録装置３０において、ホッパー１３の載置面１５に単票紙（図示せず）が載置されていない場合、ホッパー１３は、所定の枚数の単票紙がセット可能な位置まで下がった状態、すなわち、第１姿勢になっている。尚、図７はホッパー１３が第１姿勢をとっている状態を示している。
【００４８】
ここで、ホッパー１３が第１姿勢をとっている状態では、ホッパー１３と給送ローラー１４との間には空間があるので、この状態で、ロール紙Ｐをホッパー１３にセットしようとすると、ホッパー１３と給送ローラー１４との間においてロール紙Ｒがその巻癖に沿って丸まってしまう場合がある。  
ロール紙Ｒが丸まると、ロール紙Ｒの端部がホッパー１３の奥に突き当たったセット感がユーザーに感じられにくく、ユーザーがロール紙Ｒを必要以上に押し込んでしまう虞がある。
【００４９】
これに対し、本実施例に係る記録装置１は、第１センサー２１と第２センサー２４による媒体の検知に基いて、ホッパー１３が第２姿勢をとる方向に揺動するように構成されている。  
ロール紙Ｒ用の媒体搬送経路である第１経路Ｗ１に設けられた第１センサー２１により媒体が検知されると、ロール紙Ｒのセットが行われることがわかる。したがって、少なくとも第１センサー２１による検知に基づいて、ホッパー１３が第２姿勢をとる方向に揺動させることにより、ロール紙Ｒをホッパー１３上にセットするときに、記録装置１内においてホッパー１３と対向する位置にある給紙ローラー１４とホッパー１３の間を狭めることができる。
【００５０】
このことによって、ロール紙Ｒの先端がより狭い空間に挿入されることとなり、ロール紙Ｒがその巻癖によって丸まってしまう虞が低減し、ロール紙Ｒの先端がホッパー１３の奥まで突き当たった感覚、すなわち、ロール紙Ｒのホッパー１３へのセット感が分かりやすくなる。  
以って、ユーザーによるロール紙Ｒのセット感の信頼性が高められ、ユーザーがロール紙Ｒを必要以上に押し込んでしまう虞が低減するとともに、ロール紙Ｒを確実にセットすることができる。
【００５１】
尚、揺動するホッパー１３は、第２姿勢をとるまで、すなわち、給送ローラー１４とホッパー１３とが接触するまで押し上げられた状態とすることが好ましい。  
このことによって、給送ローラー１４とホッパー１３とが接触点２３で接触して形成される隙間にロール紙Ｒが突き当たるので、ロール紙Ｒのセット感が一層感じられ易くなる。以って、ユーザーによるロール紙Ｒのセット感の信頼性がより向上する。
【００５２】
また、ホッパー１３が第１姿勢から第２姿勢をとる方向に揺動するタイミングは、第１センサー２１でのロール紙Ｒの検知に続き、第２センサー２４が媒体（ロール紙Ｒ）を検知したことをもって揺動するように構成とすることもできる。ロール紙Ｒは、その先端が巻癖によってカールしている場合があるので、狭い空間に対して挿入するのが難しい場合がある。
【００５３】
第２センサー２４が媒体を検知したときにホッパー１３を第２姿勢側に押し上げるように揺動させることによって、ホッパー１３上にロール紙Ｒが挿入され始めるときには、ホッパー１３が下がった第１姿勢をとっているのでその挿入がし易くなる。そして、ホッパー１３の載置面１５の所定の位置（例えば、図４に示す第２センサー２４と対向する位置）をロール紙Ｒが通過した後に、ホッパー１３を第２姿勢側に押し上げることにより、ロール紙Ｒがホッパー１３の奥に突き当たるときには、ホッパー１３と給紙ローラー１４との間を狭めることができる。
【００５４】
また、ホッパー１３上に単票紙Ｐが載っている状態のまま、ユーザーがロール紙Ｒの使用を開始してしまう場合がある。第１センサー２１でロール紙Ｒを検知したときに、すでに第２センサー２４が媒体を検知している場合には、ホッパー１３上に単票紙Ｐが載っている状態であると判断することができる。このとき、アラーム音やＵＩによってユーザーにホッパー１３上に単票紙Ｐがあることを知らせることが好ましい。
【００５５】
また、本実施例においては、第１経路Ｗ１と第２経路Ｗ２が、ホッパー１３よりも媒体搬送方向上流において合流するので、給紙されるロール紙Ｒがホッパー１３に送られる前にそのロール紙Ｒを確実に検知することができる。  
更に、第２センサー２４を単票紙Ｐとロール紙Ｒとで兼用しつつ、ロール紙Ｒがホッパー１３に送られる前に第１センサー２１によってロール紙Ｒを検知し、ホッパー１３にロール紙Ｒが送られるのか単票紙Ｐが送られるのかを確実に検知することができる。
【００５６】
尚、本実施例では、第１センサー２１と第２センサー２４とを備える記録装置１について説明したが、第１センサー２１のみを備える記録装置において、第１センサー２１でロール紙Ｒを検知したことに基いて、ホッパー１３を第２姿勢側に揺動する構成としてもよい。その際、第１センサー２１でロール紙Ｒを検知してすぐにホッパー１３を揺動させてもよいが、例えば、第１センサー２１でロール紙Ｒを検知した後、所定のタイムラグ（例えば、数秒）を設定してホッパー１３を揺動させることも可能である。
【００５７】
また、記録装置１において、ロール紙Ｒは、上面カバー３の下流側端部を切り欠いて形成されたロール紙挿入口１０と本体２との間を通るように構成されているが、例えば、上面カバー３の下流側端部に近い位置の面に開口としてロール紙挿入口１０を形成することも可能である。  
また、上面カバー３を開状態にしたときに、上面カバー３と本体２との間にロール紙Ｒを通すことが可能な程度の隙間があくように構成し、その隙間をロール紙挿入口１０として用いることもできる。
【００５８】
尚、本発明は上記実施例に限定されることなく、特許請求の範囲に記載した発明の範囲内で種々の変形が可能であり、それらも本発明の範囲内に含まれるものであることは言うまでもない。
【符号の説明】
【００５９】
１  記録装置、２  本体、３  上面カバー（第１の開閉部）、４  排紙カバー、
５  ロール紙ユニット、６  上面部、７  媒体セット部、
８  液晶ディスプレイ、９  操作パネル、１０  ロール紙挿入口、
１１ａ、１１ｂ  エッジガイド  、１２  支持面、１３  ホッパー、
１４  給紙ローラー、１５  載置面、１６  キャリッジ、
１７  記録ヘッド、１８  プラテン、１９  媒体排出部、
２０  液体収納体、２１  第１センサー、２２  受発光部、２３  接触点、
２４  第２センサー、２５  合流位置、  ２６  庇部材、
Ｐ  単票紙（媒体）、Ｒ  ロール紙（媒体）、
Ｗ１  第１経路、Ｗ２  第２経路
【図１】
2015199577.tif 000003
【図２】
2015199577.tif 000004
【図３】
2015199577.tif 000005
【図４】
2015199577.tif 000006
【図５】
2015199577.tif 000007
【図６】
2015199577.tif 000008
【図７】
2015199577.tif 000009